(57)【特許請求の範囲】
【請求項１】
輪転機等の機器を設置するための防振基礎の構造であって、躯体上に防振材を介して基礎コンクリートを設けるとともに、基礎コンクリートとその周囲の躯体との間に絶縁目地を介装し、基礎コンクリート上に機器を設置するとともにこの機器に付設されている走行台車を基礎コンクリート上において縦横に走行可能に搭載してなることを特徴とする防振基礎の構造。
【請求項２】
基礎コンクリートの上面周縁部に片持ちスラブを突出させて設けて、この片持ちスラブの下方に配管配線類を設置するための設備スペースを確保し、片持ちスラブの先端縁部に絶縁目地を設けてなることを特徴とする請求項１記載の防振基礎の構造。
【請求項３】
絶縁目地の目地幅寸法を表層部において内部よりも小さくし、その絶縁目地の表層部には変形追従性および復元性を有する目地材を充填するとともに、床面にシール材を取り付け、かつ絶縁目地の内部には、振動絶縁性を有する絶縁材と、振動に伴う基礎コンクリートの変位を表層部の目地幅寸法以下に規制するストッパゴムとを介装してなることを特徴とする請求項１または２記載の防振基礎の構造。
【請求項４】
基礎コンクリートはプレキャストコンクリート製の打込型枠である底型枠および側型枠の内部にコンクリートが打設されて該打込型枠と一体に形成されてなり、片持ちスラブはプレキャストコンクリート製の打込型枠である底型枠の上部にコンクリートが打設されて該打込型枠と一体に形成されてなることを特徴とする請求項２または３記載の防振基礎の構造。
【発明の詳細な説明】
【０００１】
【発明の属する技術分野】
本発明は、たとえば輪転機等の振動を伴う大型機器を設置するための防振基礎の構造に関する。
【０００２】
【従来の技術】
図４は新聞印刷工場における輪転機の防振基礎の一例を示すものである。これは、建屋の基礎ピット１内に基礎コンクリート２を設置するようにしたもので、基礎底版を構成している躯体３上に防振ゴム等の防振材４を介して基礎コンクリート２を設け、その基礎コンクリート２上に輪転機５を設置することで、輪転機５の荷重を基礎コンクリート２を介して躯体３および杭６により支持し、かつ防振材４によって躯体３への振動伝播を防止したものである。また、基礎コンクリート２の両側には側壁７を設けて配管配線類を設置するための設備スペース８を確保しており、その側壁７と基礎コンクリート２との間には振動伝播防止のための絶縁目地９を設けている。絶縁目地９は側壁７を形成するための型枠を兼用し、その素材としては炭化コルク材や発泡材等が用いられている。また、輪転機５にはロール紙等の資材１０を搬送するための走行台車（ＡＧＶ）１１が付設されているので、基礎コンクリート２の上面とその両側のスラブ１２の上面には走行台車１１を横断させる方向（図示矢印方向）に走行させるための走行路が設けられている。
【０００３】
【発明が解決しようとする課題】
ところで、上記の場合、輪転機５の振動を有効に防止するためには、基礎コンクリート２の重量を輪転機５の重量の１．０〜１．３倍程以上とする必要があるので、基礎コンクリート２の重量を確保するためにその高さ（厚さ）を十分に大きくする必要がある。しかし、上記従来の防振基礎の構造では、基礎コンクリート２の重量を確保するためにその高さを大きくすると、その基礎コンクリート２を設置するために基礎ピット１の深さを必要以上に大きくしなければならず、そのため根伐り工事費や躯体工事費が嵩んでしまうものである。また、上記従来の防振基礎の構造では、基礎コンクリート２と側壁７との間に高価な炭化コルク材や発泡材を絶縁目地９として設けることから、そのような絶縁目地９を設けるために少なからぬ手間とコストを要しており、しかも、走行台車１１の走行路が絶縁目地９を横切るように設けられるためにその交差部に走行台車制御用のボックスを設ける必要もあり、そこでの納まりが複雑になるばかりでなく絶縁目地９の耐久性も問題とされ、これらの問題を解決し得る有効な方策が望まれていた。
【０００４】
【課題を解決するための手段】
上記事情に鑑み、請求項１の発明は、輪転機等の機器を設置するための防振基礎の構造であって、躯体上に防振材を介して基礎コンクリートを設けるとともに、基礎コンクリートとその周囲の躯体との間に絶縁目地を介装し、基礎コンクリート上に機器を設置するとともにこの機器に付設されている走行台車を基礎コンクリート上において縦横に走行可能に搭載してなることを特徴とする。
【０００５】
請求項２の発明は、請求項１の発明において、基礎コンクリートの上面周縁部に片持ちスラブを突出させて設けて、この片持ちスラブの下方に配管配線類を設置するための設備スペースを確保し、片持ちスラブの先端縁部に絶縁目地を設けてなることを特徴とする。
【０００６】
請求項３の発明は、請求項１または２の発明において、絶縁目地の目地幅寸法を表層部において内部よりも小さくし、その絶縁目地の表層部には変形追従性および復元性を有する目地材を充填するとともに、床面にシール材を取り付け、かつ絶縁目地の内部には、振動絶縁性を有する絶縁材と、振動に伴う基礎コンクリートの変位を表層部の目地幅寸法以下に規制するストッパゴムとを介装してなることを特徴とする。
【０００７】
請求項４の発明は、請求項２または３の発明において、基礎コンクリートはプレキャストコンクリート製の打込型枠である底型枠および側型枠の内部にコンクリートが打設されて該打込型枠と一体に形成されてなり、片持ちスラブはプレキャストコンクリート製の打込型枠である底型枠の上部にコンクリートが打設されて該打込型枠と一体に形成されてなることを特徴とする。
【０００８】
【発明の実施の形態】
図１は本発明の実施形態である防振基礎の構造を示す。本実施形態は図４に示したものと同様に新聞印刷工場における輪転機５の防振基礎に適用したもので、躯体３上に防振ゴム等の防振材４を介して基礎コンクリート２を設け、その基礎コンクリート２上に輪転機５を設置したものであるが、本実施形態では従来よりも基礎コンクリート２の幅を拡げて、走行台車１１が基礎コンクリート２上を横断する方向（図１における矢印方法）に走行するばかりでなく、基礎コンクリート２上において縦方向（図１における紙面の表裏方向）にも走行可能としている。
【０００９】
すなわち、図４に示したように従来においては基礎コンクリート２の平面的な大きさを輪転機５の水平投影面積に対応させて決定し、走行台車１１はその基礎コンクリート２の外側のスラブ１２上から基礎コンクリート２上に乗り込んで横断するようにしていたのであるが、本実施形態では基礎コンクリート２の平面的な大きさを輪転機５の水平投影面積にとらわれることなくより大きく設定して、その基礎コンクリート２上において走行台車１１が縦横に走行可能とし、それにより走行台車１１が絶縁目地９を横切る箇所数を大幅に減らしている。
【００１０】
また、基礎コンクリート２の上面周縁部には片持ちスラブ１３を両側に突出させて設け、かつ基礎梁１４の上部にも側方に突出する片持ちスラブ１５を設けて、それら双方の片持ちスラブ１３，１５の先端縁どうしを付き合わせてそこに絶縁目地９を介装し、それら片持ちスラブ１３，１５の下方に配管配線類を設置するための設備スペース８を確保している。なお、本実施形態では、基礎コンクリート２の幅を大きくしたことに伴い杭６の位置も外側にずらしている。
【００１１】
本実施形態の防振基礎の構造では、従来のものに比べて基礎コンクリート２の幅寸法を拡げて平面的に大きくすることで、基礎コンクリート２に要求される重量を確保しつつその高さ（厚さ）寸法を従来よりも小さくすることができ、したがって従来のように基礎コンクリート２を設置するために基礎ピット１の深さを必要以上に大きくするようなことを回避でき、根伐り量や躯体工事を軽減して工費削減に寄与することができる。
【００１２】
また、基礎コンクリート２の上面周縁部に片持ちスラブ１３を設けることでその下方に設備スペース８を支障なく確保できることはもとより、従来においては設備スペース８を確保するために必要であった側壁７を省略でき、したがって側壁７の型枠を兼ねて設ける必要のあった絶縁目地９を省略することができる。そして、絶縁目地９は片持ちスラブ１３，１５の間に設けるだけで良いから、絶縁目地９として用いる高価な炭化コルク材や発泡材の所要量を大幅に削減でき、したがって十分にコストダウンを図ることができるし、基礎コンクリート２と周囲躯体との取り合い面積が大幅に削減されるので自ずと防振効果が高まる利点もある。
【００１３】
さらに、走行台車１１は基礎コンクリート２上を縦横に走行するものとしていることから、従来に比べて走行台車１１が絶縁目地９を横切る箇所数を少なくすることができ、そのため従来のように交差部にボックスを埋め込むといった複雑な納まりを少なくすることができるし、絶縁目地９の耐久性が問題になることも少ない。
【００１４】
また、本実施形態では絶縁目地９として図２に示す構造を採用している。すなわち、この種の絶縁目地９はその目地幅寸法を全体にわたって一定寸法（たとえば５０ｍｍ程度）とすることが従来一般的であったが、本実施形態では図２に示すように表層部において目地幅寸法Ｗ１を内部よりも小さく設定してたとえば１０ｍｍ程度とし、その表層部には変形追従性および復元性を有する目地材３０（たとえば発泡ポリエチレン系のものが好適に採用可能である）を充填し、床面にはシール材３１を取り付けるようにしている。また、絶縁目地９の内部における目地幅寸法Ｗ２は通常どうり５０ｍｍ程度とし、そこには振動絶縁性を有する絶縁材３２（同じく発泡ポリエチレン系のものが好適に採用可能である）を介装するとともに、基礎コンクリート２の振動に伴う水平変位を表層部の目地幅寸法Ｗ１以下に規制するためのストッパゴム３３をスペーサ３４を介して取り付けている。
【００１５】
このような構造の絶縁目地９とすることにより、床面には必要最小幅寸法のシール材３１が露出するのみであるから、従来のような幅広い絶縁目地９をそのまま露出させる場合に比べてシール材３１が損傷し難いものとなるし、その保守に要する手間と費用を軽減することが可能であり、走行台車１１の走行路をシール材３１を横断するように設ける場合に特に有利である。勿論、シール材３１や目地材３０、絶縁材３２、ストッパゴム３３、スペーサ３４はいずれも汎用製品を使用できるので、施工コストは些少で済む。
【００１６】
図３は本発明の他の実施形態を示すものである。本実施形態は基礎コンクリート２を施工する際にその型枠としてプレキャストコンクリート製の打込型枠を用いるようにしたものである。すなわち、基礎コンクリート２の底型枠２０、側型枠２１、および片持ちスラブ１３の底型枠２２として、たとえばトラス状鉄筋（図示略）を一体化した薄肉平板状のプレキャストコンクリート製の打込型枠を用い、それら打込型枠を組み立ててその内側に各基礎鉄筋２３を配筋してコンクリートを打設することで、それら打込型枠を一体化した状態で基礎コンクリート２を形成するものとしている。
【００１７】
この場合、在来型枠工法のように型枠解体を行う必要がないばかりでなく、側型枠２１は支持筋２４により基礎鉄筋２３に対して連結して自立させる程度で打設荷重を負担できるし、片持ちスラブ１３の底型枠２２はその下面側から根太２５および少数の支柱２６により支持すれば十分であるから、支保工を大幅に軽減でき、したがって在来型枠工法による場合に比べて施工性を大きく改善することができる。勿論、根太２５および支柱２６の解体撤去作業は設備スペース８内で支障なく行えるし、設備スペース８には要所に点検用開口部や配管ダクト類の貫通孔が設けられるから、それら根太２５や支柱２６の搬出は何等支障なく行うことができる。
【００１８】
なお、先の実施形態では基礎コンクリート２の下面全体を防振材４により支持するようにしたが、本実施形態では防振材として多数の防振ゴム４０を採用してそれら防振ゴム４０により基礎コンクリート２を支持するようにしており、これによっても同等の効果が得られる。
【００１９】
以上で本発明の実施形態を説明したが、本発明は輪転機に限らず振動を発生しかつ走行台車が付設されるような大型機器を設置するための防振基礎として広く適用できるものであるし、設置するべき機器の重量や形態その他の条件に対応して上記各実施形態に限定されることなく適宜の設計変更が可能であることはいうまでもない。
【００２０】
【発明の効果】
請求項１の発明は、輪転機等の機器を設置するための防振基礎の構造であって、躯体上に防振材を介して基礎コンクリートを設けるとともに、基礎コンクリートとその周囲の躯体との間に絶縁目地を介装し、基礎コンクリート上に機器を設置するとともにこの機器に付設されている走行台車を基礎コンクリート上において縦横に走行可能に搭載してなるので、十分な防振性能を確保できることは言うに及ばず、従来のものに比べて基礎コンクリートを平面的に大きくすることでその高さ寸法を小さくすることができ、したがってこれを設置する基礎ピットの深さを必要以上に大きくするようなことを回避できて工費削減に寄与することができ、しかも走行台車が絶縁目地を横切る箇所数を少なくできるので、従来のようにそれらの交差部にボックスを埋め込むといった複雑な納まりを少なくすることができるし、交差部において絶縁目地の耐久性が問題になることも少ない。
【００２１】
請求項２の発明は、基礎コンクリートの上面周縁部に片持ちスラブを突出させて設けて、この片持ちスラブの下方に配管配線類を設置するための設備スペースを確保し、片持ちスラブの先端縁部に絶縁目地を設けてなるので、設備スペースを支障なく確保できることはもとより、絶縁目地として用いる高価な炭化コルク材の所要量を大幅に削減することができ、この点においても工費削減を図ることができる。
【００２２】
請求項３の発明は、絶縁目地の目地幅寸法を表層部において内部よりも小さくし、絶縁目地の表層部には変形追従性および復元性を有する目地材を充填して、床面にはシール材を取り付け、かつ絶縁目地の内部には、振動絶縁性を有する絶縁材と、振動に伴う基礎コンクリートの変位を表層部の目地幅寸法以下に規制するストッパゴムとを介装してなるので、床面に必要最小幅寸法のシール材が露出するのみで済み、したがってシール材が損傷し難いものとなりその保守を軽減することが可能である。
【００２３】
請求項４の発明は、基礎コンクリートはプレキャストコンクリート製の打込型枠である底型枠および側型枠の内部にコンクリートが打設されて該打込型枠と一体に形成されてなり、片持ちスラブはプレキャストコンクリート製の打込型枠である底型枠の上部にコンクリートが打設されて該打込型枠と一体に形成されてなるものであるので、在来型枠工法による場合に比較して型枠工事を合理化でき、基礎コンクリートを効率的に施工することができる。
【図面の簡単な説明】
【図１】  本発明の実施形態である防振基礎の構造を示す図である。
【図２】  同、絶縁目地の拡大図である。
【図３】  本発明の他の実施形態である防振基礎の構造を示す図である。
【図４】  従来の防振基礎の構造を示す図である。
【符号の説明】
１  基礎ピット
２  基礎コンクリート
３  躯体（基礎底版）
４  防振材
５  輪転機（機器）
６  杭
７  側壁
８  設備スペース
９  絶縁目地
１０  資材
１１  走行台車
１２  スラブ
１３  片持ちスラブ
１４  基礎梁
１５  片持ちスラブ
２０  底型枠（打込型枠）
２１  側型枠（打込型枠）
２２  底型枠（打込型枠）
３０  目地材
３１  シール材
３２  絶縁材
３３  ストッパゴム
４０  防振ゴム（防振材）
Ｗ１、Ｗ２  目地幅寸法
【図１】
0003760315.tif 000002
【図２】
0003760315.tif 000003
【図３】
0003760315.tif 000004
【図４】
0003760315.tif 000005